(57)【要約】【課題】出力映像の正常性を簡易に監視することの可能な放送用サーバシステムを提供すること。【解決手段】映像、音声を記録する際にその特徴量（輝度信号、色信号の最大値、最小値、平均値など）を抽出し、映像、音声とともにサーバ装置５０に記録する。そして映像および音声の再生時に、再生されたデータの特徴量と記録された特徴量とを比較し、その差が一定の範囲を超えた場合にデータの異常を判定する。データ異常が生じた場合には切替器１００を動作させ、冗長切り替えにより正常なデータの出力経路を確保する。【選択図】      図２
2007081948.tif 000002
【特許請求の範囲】
【請求項１】
映像信号に含まれる映像の特徴量を抽出する抽出手段と、
前記映像信号を前記特徴量とともに蓄積する蓄積装置と、
この蓄積装置から前記映像信号と前記特徴量とを再生する手段と、
前記再生された映像信号に含まれる映像の特徴量を算出する算出手段と、
前記蓄積装置から再生された特徴量と前記算出手段により算出された特徴量とを比較する比較手段と、
この比較手段による比較の結果に基づいて、前記蓄積装置から再生された映像の正常性を判定する判定手段とを具備することを特徴とする放送用サーバシステム。
【請求項２】
前記判定手段は、前記蓄積装置から再生された特徴量と前記算出手段により算出された特徴量とが一定の基準範囲内において一致する場合に、前記蓄積装置から再生された映像を正常と判定することを特徴とする請求項１に記載の放送用サーバシステム。
【請求項３】
前記特徴量は、対応する映像の輝度信号の平均値、最大値および最小値の少なくとも１つであることを特徴とする請求項１に記載の放送用サーバシステム。
【請求項４】
前記特徴量は、対応する映像の色信号の平均値、最大値および最小値の少なくとも１つであることを特徴とする請求項１に記載の放送用サーバシステム。
【請求項５】
さらに、前記映像信号をコードデータ化して前記蓄積装置に蓄積するエンコーダと、
前記蓄積装置に蓄積される前記コードデータから前記映像信号を再生するデコーダとを具備することを特徴とする請求項１に記載の放送用サーバシステム。
【発明の詳細な説明】
【技術分野】
【０００１】
本発明は映像や音声などを取り扱う放送用サーバシステムに関する。
【背景技術】
【０００２】
映像、音声を取り扱う装置ではデータの品質を評価することが重要である（例えば特許文献１を参照）。特に放送用サーバシステムでは、サーバ装置に記録された映像および音声を正しく出力することが厳しく要求され、民生用の装置よりも高い基準が求められる。しかしながら、サーバ装置から出力される映像信号が正しいものであるかどうか、すなわち正しくデコードされたかどうかを判断する方法は今まで提供されていない。このため映像や音声が正しく送出されたかを知るためには、送出された映像や音声を人手により常時監視することが必要となり、人件費等のコストが増加したり、常時監視の困難さや不正データの見落としなどといった種々の問題がある。
【特許文献１】特開２００４−１５８１５３号公報
【発明の開示】
【発明が解決しようとする課題】
【０００３】
以上述べたように既存の放送用サーバシステムにおいては、サーバ装置から送出される映像信号の正常性を、人手に頼って判断せざるを得ない。このため人件費等のコストが増加したり、常時監視の困難さや不正データの見落としなどといった種々の問題がある。  
この発明は上記事情によりなされたもので、その目的は、出力映像の正常性を簡易に監視することの可能な放送用サーバシステムを提供することにある。
【課題を解決するための手段】
【０００４】
上記目的を達成するためにこの発明の一態様によれば、映像信号に含まれる映像の特徴量を抽出する抽出手段と、前記映像信号を前記特徴量とともに蓄積する蓄積装置と、この蓄積装置から前記映像信号と前記特徴量とを再生する手段と、前記再生された映像信号に含まれる映像の特徴量を算出する算出手段と、前記蓄積装置から再生された特徴量と前記算出手段により算出された特徴量とを比較する比較手段と、この比較手段による比較の結果に基づいて、前記蓄積装置から再生された映像の正常性を判定する判定手段とを具備することを特徴とする放送用サーバシステムが提供される。
【０００５】
このような手段を講じることにより、蓄積装置に蓄積される前後の映像の特徴量がそれぞれ算出され、映像再生時に比較される。その結果、２つの特徴量に明らかな違いがあれば再生後の映像は不正なデータであると結論付けることができる。このような処理により出力映像の正常性の判定を自動化できるようになり、出力映像の正常性を簡易に監視することが可能になる。
【発明の効果】
【０００６】
この発明によれば、出力映像の正常性を簡易に監視することの可能な放送用サーバシステムを提供することができる。
【発明を実施するための最良の形態】
【０００７】
図１は、この発明に係わる放送用サーバシステムを示す機能ブロック図である。図１において、映像入力装置１０からの映像および音声入力装置２０からの音声は、まずデータ算出装置３０に入力される。データ算出装置３０は映像および音声の特徴量を抽出し、得られた算出データをサーバ装置５０に蓄積する。これと並行して、映像および音声はエンコーダ４０によりＭＰＥＧ（Moving Picture Experts Group）−２などの圧縮方式によりデータ化され、同様にサーバ装置５０に蓄積される。
【０００８】
例えば、ＨＤ−ＳＤＩ方式では７４ＭＨｚで１０ｂｉｔ×２（Ｙ，Ｐｂ，Ｐｒ）の情報が送られ、２１ラインから５６０ライン、５８４ラインから１１２３ラインの０から１９１９ワードまでには映像情報がのせられる。この部分についてラインごとにＹ，Ｐｂ，Ｐｒそれぞれの平均値、最大値、最小値を特徴量として抽出し、データとは別にサーバ装置５０に記録しておく。なおＳＤ−ＳＤＩ方式を用いる場合においても同様に、映像情報区間について、輝度、色差信号の平均、最大、最小値を取得することでデータの識別を行う。
【０００９】
サーバ装置５０の容量はシステムの規模に応じて自由に可変することができる。ラインごとのデータ抽出では記憶データ量が大きくなり過ぎる場合、輝度だけを比較する方法、数ラインに一度程度に間引く方法、ラインではなく一定エリアでの検出を行うことなどにより、蓄積データ量を削減することができる。また平均値は使用せず、最大値、最小値だけを用いるようにすれば、検出にかかる回路構成も簡易化することが可能となる。
【００１０】
サーバ装置５０に記録されたデータはデコーダ６０に入力され、映像および音声が再生される。その際、記録された算出データすなわちラインごとの平均値、最大値、最小値も同時に読み出され、ともにデータ算出装置７０に入力される。データ算出装置７０は、デコーダ６０により再生された映像の特徴量を再度算出し、読み出された算出データと比較する。その結果に応じて、再生された映像および音声は映像出力装置８０および音声出力装置９０を介してそれぞれ出力される。
【００１１】
図２は、図１のデータ算出装置３０における処理手順を示すフローチャートである。図２においてデータ算出装置３０は、ステップＳ１で映像および音声データの入力を待ち受け、入力があれば以降のステップＳ２、Ｓ３，Ｓ４で映像データの最大値、最小値、および平均値をそれぞれ検出する。検出されたデータはいずれも算出データとしてサーバ装置５０に蓄積される。
【００１２】
図３は、図１のデータ算出装置７０における処理手順を示すフローチャートである。図３においてデータ算出装置７０は、デコードされた映像および音声データの最大値、最小値、および平均値をステップＳ５、Ｓ６，Ｓ７においてそれぞれ算出する。これらの値はステップＳ８において、サーバ装置５０から読み出された値と比較され、異常の有無が判定される。比較の際はデータが非可逆圧縮された可能性も考慮し、一定の範囲内であれば一致と判断するようにする。ここで量データの差が規定範囲を超えた場合には、ステップＳ９において異常通知処理が実行される。
【００１３】
図４は、図１の放送用サーバシステムの運用例を示す図である。この例のシステムは、いずれも映像および音声を再生出力する本線系および予備系と、これらの系からの出力を切り替える切替器１００を備える。本線系および予備系のいずれも図１と同様の構成を持ち、本線系は通常の再生系統であり、予備系は本線系の異常時に切り替え運用される。切替器１００には、本線系および予備系において演算されたデータ比較結果が与えられる。すなわちいずれかの系においてデータ異常が検出された場合、その旨が切替器１００に通知される。切替器１００はこの通知を受信すると冗長切り替えを実行し、映像および音声の取得先を切り替える。
【００１４】
このような構成により、障害が発生した場合に自動的に障害を検出し、切替器１００を動作させることで映像および音声を本線系からではなく予備系から出力することができる。これにより異常発生時に障害を極めて短期間に回避することが可能になる。なお算出データの比較は映像のみに限らず、音声についても音声チャンネルごとに平均値、最大値、最小値を記録し、再生時に算出した値と比較することでデータの正常性を判断することが可能となる。
【００１５】
以上をまとめるとこの実施形態では、映像、音声を記録する際にその特徴量（輝度信号、色信号の最大値、最小値、平均値など）を抽出し、映像、音声とともにサーバ装置５０に記録する。そして映像および音声の再生時に、再生されたデータの特徴量と記録された特徴量とを比較し、その差が一定の範囲を超えた場合にデータの異常を判定する。データ異常が生じた場合には切替器１００を動作させ、冗長切り替えにより正常なデータの出力経路を確保するようにする。従って既存の放送用サーバシステムのように出力の正常性を人手により監視するのに比べ、監視作業に代わる機能をサーバシステム側に盛り込むことができるようになり、監視作業を軽減することができる。これらのことから、出力映像の正常性を簡易に監視することの可能な放送用サーバシステムを提供することが可能となる。
【００１６】
また上記構成によれば、入力の異常を簡易に検出することもできる。例えば映像であれば、明らかに極端なデータが続いた場合にはデータ算出装置３０において異常な映像であると判断することができる。音声のピーク値が大きすぎる場合や、無音が続いた場合も同様である。また、蓄積系だけでなく入力系についても、単純な異常であれば映像、音声のいずれに関しても検出することが可能であり、さらに、出力系では映像、音声のズレなども検出することが可能となる。
【００１７】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００１８】
【図１】この発明に係わる放送用サーバシステムを示す機能ブロック図。
【図２】図１のデータ算出装置３０における処理手順を示すフローチャート。
【図３】図１のデータ算出装置７０における処理手順を示すフローチャート。
【図４】図１の放送用サーバシステムの運用例を示す図。
【符号の説明】
【００１９】
１０…映像入力装置、２０…音声入力装置、３０…データ算出装置、５０…サーバ装置、４０…エンコーダ、６０…デコーダ、７０…データ算出装置、８０…映像出力装置、９０…音声出力装置、１００…切替器
【図１】
2007081948.tif 000003
【図２】
2007081948.tif 000004
【図３】
2007081948.tif 000005
【図４】
2007081948.tif 000006